(57)【要約】【課題】粉末洗剤用包装容器を提供すること。【解決手段】本発明は粉末洗剤用包装容器に係り、さらに詳しくは、吸水性を有する粉末（粉体）類の洗剤が包装されている容器を保管するに際して、ハンドル部を容器の外袋の外側面に密着させた状態で保管可能な粉末洗剤用包装容器に関する。  本発明に係る粉末洗剤用包装容器は、粉末状態の洗剤が入れられる内袋１１０と、前記内袋１１０が内部に収納された状態で左右側壁に通過孔１２１が穿設される外袋１２０と、前記外袋１２０の通過孔１２１に係止フック部１３１が嵌まり込んで搬送を容易にするハンドル部１３０と、を有する粉末洗剤用包装容器において、前記ハンドル部１３０の係止フック部１３１は、両端部にくびれた腰部１３２を形成し、その外側に外袋１２０の通過孔１２１に嵌合された後に折畳溝１３１ｂを中心に拡開する矢先状の羽根部１３１ａが配設されたことを特徴とする。【選択図】図３
2011073792.tif 000002
【特許請求の範囲】
【請求項１】
粉末状態の洗剤が入れられる内袋（１１０）と、前記内袋（１１０）が内部に収納された状態で左右側壁に通過孔（１２１）が穿設される外袋（１２０）と、前記外袋（１２０）の通過孔（１２１）に係止フック部（１３１）が嵌まり込んで搬送を容易にするハンドル部（１３０）と、を有する粉末洗剤用包装容器において、
前記ハンドル部（１３０）の係止フック部（１３１）は、両端部にくびれた腰部（１３２）を形成し、その外側に外袋（１２０）の通過孔（１２１）に嵌合された後に折畳溝（１３１ｂ）を中心に拡開する矢先状の羽根部（１３１ａ）が配設されたことを特徴とする粉末洗剤用包装容器。
【請求項２】
前記係止フック部（１３１）が外袋（１２０）の通過孔（１２１）に嵌合された後に載置される載置溝（１１１）が内袋（１１０）の左右側壁にそれぞれ凹設され、前記載置溝（１１１）の下部と一側部には羽根部（１３１ａ）付き係止フック部（１３１）が嵌まり込む嵌合溝（１１２）がそれぞれ連通するように凹設されることを特徴とする請求項１に記載の粉末洗剤用包装容器。
【発明の詳細な説明】
【技術分野】
【０００１】
本発明は、粉末洗剤用包装容器に係り、さらに詳しくは、吸水性を有する粉末（粉体）類の洗剤を収容している容器を保管するに際して、ハンドル部を容器の外袋の外側面に密着させた状態で保管可能な粉末洗剤用包装容器に関する。
【背景技術】
【０００２】
一般に、吸湿性があり、吸湿により品質が損なわれる粉末状態の製品、例えば、洗剤類などはプラスチック製の密閉容器や紙製のボックス状態の密閉容器内に入れて販売している。
【０００３】
しかしながら、プラスチック製の容器は紙製の容器と比較して製造コストが高いため製品のコストアップを招き、しかも、廃棄時に環境汚染の問題を引き起こすなどの不都合があるため紙製の容器が多用されている。
【０００４】
紙製の粉末洗剤用包装容器は略直方体の密封ボックス状のものであり、包装容器の運送し易さを図ることを目的として上部に合成樹脂製の握り紐を形成し、包装容器の湿気遮断及び紙の強度補強を図るために内袋と外袋とから構成された紙を用いて包装容器を製作している。
【０００５】
図１及び図２は、上記の如き従来の粉末洗剤用包装容器を示すものであり、粉末状態の洗剤が入れられる内袋１１０’と、前記内袋１１０’が収納される外袋１２０’と、前記内袋１１０’が収納されている外袋１２０’を運送し易くするハンドル部１３０’と、を備えている。
【０００６】
なお、前記ハンドル部１３０’は、内袋１１０’と外袋１２０’の左右側壁にそれぞれ中心と内径が一致するように穿設された通過孔１２１’、１１１’に嵌合されるリベット１４０’により左右の両端部が回転自在に容器１００の左右側壁にそれぞれ組み付けられている。
【発明の概要】
【発明が解決しようとする課題】
【０００７】
しかしながら、上記の構成を有する粉末洗剤用包装容器は、容器１００’の外袋１２０’と内袋１１０’の側壁に穿設された通過孔１２１’、１１１’の中心と、ハンドル部１３０’に穿設された係合孔１３１’の中心とを一致させた状態でリベット１４０’打ちを行わなければ、容器１００’にハンドル部１３０’を組み付けることができない。
【０００８】
このため、前記容器１００’にハンドル部１３０’を組み付けるときに長時間の作業時間がかかることはもとより、部品点数が増えて製作コストが嵩むといった不都合があった。
【０００９】
また、前記ハンドル部１３０’が常に容器１００’の外袋の外側に突き出ているため、前記容器１００’を保管するに際して、前記容器１００’に組み付けられているハンドル部１３０’に起因して他の物品を効率よく積み重ねて保管することができないといった不都合があった。
【００１０】
本発明の目的は、容器の左右両側壁の上部にハンドル部の左右両端部をそれぞれ単に嵌め付けるだけでハンドル部が組み付けられた状態を維持する結果、前記容器を製作するに際して部品点数が低減され、作業性が向上して生産性が向上する粉末洗剤用包装容器を提供することにある。
【００１１】
本発明の他の目的は、容器の側壁の内外部にハンドル部が出入することから、前記ハンドル部を使用しない場合にはハンドル部を容器の外袋に密着させた状態で保管可能な粉末洗剤用包装容器を提供することある。
【課題を解決するための手段】
【００１２】
本発明の目的を達成するために、本発明による粉末洗剤用包装容器は、粉末状態の洗剤が入れられる内袋１１０と、前記内袋１１０が内部に収納された状態で左右側壁に通過孔１２１が穿設される外袋１２０と、前記外袋１２０の通過孔１２１に係止フック部１３１が嵌まり込んで搬送を容易にするハンドル部１３０と、を有する粉末洗剤用包装容器において、前記ハンドル部１３０の係止フック部１３１は、両端部にくびれた腰部１３２を形成し、その外側に外袋１２０の通過孔１２１に嵌合された後に折畳溝１３１ｂを中心に拡開する矢先状の羽根部１３１ａが配設されていることを特徴とする。
【００１３】
なお、前記係止フック部１３１を外袋１２０の通過孔１２１に嵌合した後に載置する載置溝１１１は内袋１１０の左右側壁にそれぞれ凹設され、前記載置溝１１１の下部と一側部には羽根部１３１ａ付き係止フック部１３１が嵌まり込む嵌合溝１１２はそれぞれ連通するように凹設される。
【００１４】
これにより、前記係止フック部１３１が矢先状に形成され、前後部はそれぞれ折畳溝１３１ｂにより拡開自在に羽根部１３１ａが形成されているため、前記係止フック部１３１を容器１００の外袋１２０の側壁に穿設された通過孔１２１に嵌め込んだ後に容器１００の外部に引っ張ると、羽根部１３１ａが上部に移動しながら折畳溝１３１ｂが外袋１２０の側壁に嵌まり込んで容器１００の外部に係止フック部１３１が引き出されることなく円滑に回転がなされるのである。
【発明の効果】
【００１５】
本発明に係る粉末洗剤用包装容器は、前記容器の外袋の左右両側壁に穿設された通過孔にハンドル部の左右両端部に形成された係止フック部を嵌め込んだ後に容器の外部にハンドル部を引っ張ると、前記係止フック部の前後部に形成された羽根部が上部に移動しながら側壁に密着されて容器の外部に係止フック部が引き出されないようにハンドル部の組み付けが完了する。
【００１６】
これにより、容器にハンドル部を組み付けるときの作業が簡単になるという効果がある。
【００１７】
また、本発明によれば、容器の側壁の内外部にハンドル部が出入することから、前記ハンドル部を使用しない場合にはハンドル部を容器の外袋に密着させた状態で保管することが可能になるといった効果もある。
【図面の簡単な説明】
【００１８】
【図１】従来の粉末洗剤用包装容器の斜視図。
【図２】図１のＡ−Ａ’線に沿った部分断面図。
【図３】本発明に係る粉末洗剤用包装容器の分解斜視図。
【図４】本発明に係る粉末洗剤用包装容器にハンドル部が組み付けられた状態を示す正面図。
【図５】本発明に係る粉末洗剤用包装容器のハンドル部を内袋の載置溝の下部に凹設された嵌合溝に嵌め込んだ状態の正面図。
【図６】本発明に係る粉末洗剤用包装容器のハンドル部を内袋の載置溝の一側部に凹設された嵌合溝に嵌め込んだ状態の正面図。
【図７】ハンドル部を内袋の載置溝を介して嵌合溝に進入させる状態を示す要部断面図。
【図８】図３のＢ−Ｂ’線に沿った断面図。
【発明を実施するための形態】
【００１９】
以下、添付図面に基づき、本発明の構成を詳述する。
【００２０】
図３は、本発明に係る粉末洗剤用包装容器の分解斜視図であり、図４は、本発明に係る粉末洗剤用包装容器にハンドル部が組み付けられた状態を示す正面図であり、図５は、本発明に係る粉末洗剤用包装容器のハンドル部を内袋の載置溝の下部に凹設された嵌合溝に嵌め込んだ状態の正面図であり、図６は、本発明に係る粉末洗剤用包装容器のハンドル部を内袋の載置溝の一側部に凹設された嵌合溝に嵌め込んだ状態の正面図である。
【００２１】
そして、図７は、ハンドル部を内袋の載置溝を介して嵌合溝に進入する状態を示す要部断面図であり、図８は、図３のＢ−Ｂ’線に沿った断面図である。
【００２２】
本発明に係る粉末洗剤用包装容器は、図３から図８に示すように、粉末状態の洗剤が入れられる内袋１１０と、前記内袋１１０が収納される外袋１２０と、前記内袋１１０が収納されている外袋１２０を搬送し易くするハンドル部１３０と、を備えている。
【００２３】
内袋１１０は紙製のものであり、外袋１２０としては紙材の表面への印刷後に湿気から保護するために表面コーティングが施されたものが選ばれ、ハンドル部１３０は靭性に優れた合成樹脂材から成形される。
【００２４】
内袋１１０は、通常、外袋１２０よりも厚い紙製のものであり、上部から外側に向かって所定の長さだけ積み重ねられるように折り畳められて強度を十分に維持し、接着剤又は両面テープを用いて外袋１２０の遊動を防止した状態でボックス状の粉末洗剤用包装容器の耐久性と剛性を維持するように構成されている。
【００２５】
なお、前記ハンドル部１３０の左右両端部には係止フック部１３１がそれぞれ形成されており、係止フック部１３１は、前記ハンドル部１３０の左右両端部を容器１００の外袋１２０の左右側壁に穿設された通過孔１２１に嵌合した後に折畳溝１３１ｂを中心に拡開する羽根部１３１ａを対称状に有している。
【００２６】
前記係止フック部１３１は、外袋１２０の通過孔１２１に嵌合された後に羽根部１３１ａが引っ掛かって離脱を防止することにより、ハンドル部１３０の組み付けが完了する。
【００２７】
一方、内袋１１０の左右側壁には、係止フック部１３０の羽根部１３１ａが通過孔１２１に嵌まり込んだ後に載置される載置溝１１１がそれぞれ凹設される。
【００２８】
そして、前記載置溝１１１の下部と一側部には、羽根部１３１ａ付き係止フック部１３１が嵌まり込む嵌合溝１１２がそれぞれ連通するように略直角方向に凹設される
【００２９】
前記係止フック部１３１は矢先状に形成され、前後部はそれぞれ折畳溝１３１ｂにより拡開自在に羽根部１３１ａが形成されている。
【００３０】
これにより、前記係止フック部１３１の羽根部１３１ａを折畳溝１３１ｂの個所において約１／２の幅に折り畳んで外袋１２０に穿孔された通過孔１２１に嵌め込むと、合成樹脂材の特性により羽根部１３１ａが拡開することになる。
【００３１】
羽根部１３１ａが外袋１２０と内袋１１０との間において拡開することにより、ユーザーが容器１００の外部にハンドル部１３０を引っ張ると、羽根部１３１ａが外袋１２０の通過孔１２１の周辺内壁に引っ掛かって容器１００の外部に係止フック部１３１が引き出されなくなる。
【００３２】
また、通過孔１２１を軸に回転も可能になる。
【００３３】
もちろん、前記容器１００の外袋１２０の上部には帯状の切取線１５０を形成して、容器１００内に中身を入れた後に密封し、その後、ユーザーが中身を取り出そうとする場合に前記切取線１５０の先端部を引っ張ることにより中身を取り出し易くしている。
【００３４】
このような構成を有する本発明は、ハンドル部１３０の左右両端部に形成された係止フック部１３１を手で掴んで折畳溝１３１ｂを中心に１／２の幅に畳み込んで容器１００の外袋１２０の側壁に穿設された通過孔１２１を貫通するように容器１００の内部に引っ込ませる。
【００３５】
このため、前記係止フック部１３１は、外袋１２０を通過した後に内袋１１０の側壁に凹設された載置溝１１１に載置された状態を維持することになる。
【００３６】
このように係止フック部１３１が載置溝１１１に載置されるようにハンドル部を容器１００に組み付けた状態で前記容器１００を搬送しようとする場合には、ハンドル部１３０を上部に持ち上げることになる。
【００３７】
このとき、前記係止フック部１３１は、図４に示すように、容器１００の上部に移動されることにより、羽根部１３１ａが上部に移動されながら通過孔１２１に位置する腰部１３２を中心に回転は可能であり、且つ、羽根部１３１ａが外袋１２０の内側壁に引っ掛かる。
【００３８】
一方、上述したように、ハンドル部１３０を容器１００に組み付けて搬送などのために使用した後、前記容器１００の外部にハンドル部１３０が突き出ないように保管しようとする場合、図５及び図６に示すように、ハンドル部１３０を容器１００が立てられた状態で上部面に接触されるように手で押すと、通過孔１２１に嵌まり込んだ腰部１３２に沿って係止フック部１３１がハンドル部１３０に連れ移動される
【００３９】
このとき、ハンドル部１３０の係止フック部１３１が載置溝１１１と連通するように凹設された２本の嵌合溝１１２のうち垂直方向に凹設された嵌合溝１１２の位置に引っ込みながらハンドル部１３０の底面が外袋１２０の外側面に密着された状態を維持することになる（図５）。
【００４０】
これにより、前記ハンドル部１３０が容器１００の外部に突き出なくなる。
【００４１】
又はンドル部１３０を容器１００が立てられた状態で前面又は背面に接触されるように手で掴んで回転させると、通過孔１２１に嵌まり込んだ腰部１３２を中心に係止フック部１３１がハンドル部１３０に連れ移動される。
【００４２】
そして、係止フック部１３１が載置溝１１１と連通するように凹設された２本の嵌合溝１１２のうち水平方向に凹設された嵌合溝１１２の位置に移動した後に進入するように力を僅かに加えると、ハンドル部１３０の底面が外袋１２０の外側面に密着された状態を維持することになる（図６）。
【００４３】
これにより、前記ハンドル部１３０が容器１００の前面又は背面から外部に突き出なくなる。
【００４４】
さらに、係止フック部１３１が載置溝１１１と連通するように凹設された嵌合溝１１２に載置されるため、遊動することなく安定した状態を維持することが可能になる。
【符号の説明】
【００４５】
１００：容器
１１０：内袋
１１１：載置溝
１１２：嵌合溝
１２０：外袋
１２１：通過孔
１３０：ハンドル部
１３１：係止フック部
１３１ａ：羽根部
１３１ｂ：折畳溝
【図１】
2011073792.tif 000003
【図２】
2011073792.tif 000004
【図３】
2011073792.tif 000005
【図４】
2011073792.tif 000006
【図５】
2011073792.tif 000007
【図６】
2011073792.tif 000008
【図７】
2011073792.tif 000009
【図８】
2011073792.tif 000010